(57)【特許請求の範囲】
【請求項１】
複数の基地局を含み、位置登録情報により示される基地局から無線により移動局へ着信通知信号を送信する通信網であって、
前記通信網には、記憶装置が接続されており、
前記各基地局は、
送信が抑止されたことを示す送信抑止通知信号を、前記移動局から受信する送信抑止通知受信手段と、
前記送信抑止通知信号を受信した場合、前記移動局を示す移動局情報を、前記通信網を介して、前記記憶装置に記憶させる登録手段と
を備え、
前記通信網は、前記移動局に対する着信を受け付けた場合、前記移動局を示す移動局情報が前記記憶装置に記憶されていれば、さらに、前記位置登録情報により示されない基地局からも前記移動局へ着信通知信号を送信する
ことを特徴とする通信網。
【請求項２】
複数の基地局を含み、位置登録情報により示される基地局を含む所定エリア内にある基地局群から無線により移動局へ着信通知信号を送信する通信網であって、
前記通信網には、記憶装置が接続されており、
前記各基地局は、
送信が抑止されたことを示す送信抑止通知信号を、前記移動局から受信する送信抑止通知受信手段と、
前記送信抑止通知信号を受信した場合、前記移動局を示す移動局情報を、前記通信網を介して、前記記憶装置に記憶させる登録手段と
を備え、
前記通信網は、前記移動局に対する着信を受け付けた場合、前記移動局を示す移動局情報が前記記憶装置に記憶されていれば、さらに、前記所定エリア外の基地局からも前記移動局へ着信通知信号を送信する
ことを特徴とする通信網。
【請求項３】
前記通信網において、
前記各基地局は、前記送信抑止通知信号を受信した受信時刻を、前記移動局情報に対応させて前記記憶装置に記憶させ、
前記通信網は、前記移動局に対する着信を受け付けた場合、前記移動局を示す移動局情報が前記記憶装置に記憶されていれば、前記位置登録情報により示された基地局からの距離が、前記移動局情報に対応する受信時刻からの経過時間に応じた制限距離を超えない地点にある基地局から、前記移動局へ着信通知信号を送信する
ことを特徴とする請求項１または２に記載の通信網。
【請求項４】
前記通信網において、前記各基地局は、
送信の抑止が解除されたことを示す抑止解除通知信号を、前記移動局から受信する抑止解除通知受信手段と、
前記抑止解除通知信号を受信した場合、前記移動局を示す移動局情報を、前記通信網を介して、前記記憶装置から削除する削除手段とを備える
ことを特徴とする請求項１から３の何れかに記載の通信網。
【請求項５】
前記通信網は、前記移動局に対する着信を受け付けた場合、前記移動局を示す移動局情報が前記記憶装置に記憶されていれば、さらに、前記移動局情報が前記記憶装置に記憶されていない場合と異なるメッセージを、発信元に対して送信する
ことを特徴とする請求項１から４の何れか1項に記載の通信網。
【請求項６】
複数の基地局を含み、位置登録情報により示される基地局から無線により移動局へ着信通知信号を送信する通信網と、前記移動局とから構成される移動無線通信システムであって、
前記移動局は、
送信を抑止する指示をユーザから受け付ける送信抑止指示受付手段と、
前記指示を受け付けた場合、送信抑止通知信号を基地局へ送信する設定通知送信手段と、
前記指示を受け付けた場合、信号の送信を抑止する送信抑止手段と、
前記指示を受け付けた場合、着信通知信号を受信して記録する着信通知処理手段と
を備え、
前記通信網には、記憶装置が接続されており、
前記各基地局は、
前記送信抑止通知信号を、前記移動局から受信する送信抑止通知受信手段と、
前記送信抑止通知信号を受信した場合、前記移動局を示す移動局情報を、前記通信網を介して、前記記憶装置に記憶させる登録手段と
を備え、
前記通信網は、前記移動局に対する着信を受け付けた場合、前記移動局を示す移動局情報が前記記憶装置に記憶されていれば、さらに、前記位置登録情報により示されない基地局からも前記移動局へ着信通知信号を送信する
ことを特徴とする移動無線通信システム。
【請求項７】
複数の基地局を含み、位置登録情報により示される基地局を含む所定エリア内にある基地局群から無線により移動局へ着信通知信号を送信する通信網と、前記移動局とから構成される移動無線通信システムであって、
前記移動局は、
送信を抑止する指示をユーザから受け付ける送信抑止指示受付手段と、
前記指示を受け付けた場合、送信抑止通知信号を基地局へ送信する設定通知送信手段と、前記指示を受け付けた場合、信号の送信を抑止する送信抑止手段と、
前記指示を受け付けた場合、着信通知信号を受信して記録する着信通知処理手段と
を備え、
前記通信網には、記憶装置が接続されており、
前記各基地局は、
前記送信抑止通知信号を、前記移動局から受信する送信抑止通知受信手段と、
前記送信抑止通知信号を受信した場合、前記移動局を示す移動局情報を、前記通信網を介して、前記記憶装置に記憶させる登録手段と
を備え、
前記通信網は、前記移動局に対する着信を受け付けた場合、前記移動局を示す移動局情報が前記記憶装置に記憶されていれば、さらに、前記所定エリア外の基地局からも前記移動局へ着信通知信号を送信する
ことを特徴とする移動無線通信システム。
【請求項８】
複数の基地局を含み、位置登録情報により示される基地局から無線により移動局へ着信通知信号を送信する通信網において用いられる通信制御方法であって、
前記通信網には、記憶装置が接続されており、
送信が抑止されたことを示す送信抑止通知信号を、前記各基地局が前記移動局から受信するステップと、
前記基地局が前記送信抑止通知信号を受信した場合、前記移動局を示す移動局情報を、前記通信網を介して、前記記憶装置に記憶させるステップと、
前記通信網が前記移動局に対する着信を受け付けた場合、前記移動局を示す移動局情報が前記記憶装置に記憶されていれば、さらに、前記位置登録情報により示されない基地局からも前記移動局へ着信通知信号を送信するステップとを含む
ことを特徴とする通信制御方法。
【請求項９】
複数の基地局を含み、位置登録情報により示される基地局を含む所定エリア内にある基地局群から無線により移動局へ着信通知信号を送信する通信網において用いられる通信制御方法であって、
前記通信網には、記憶装置が接続されており、
送信が抑止されたことを示す送信抑止通知信号を、前記各基地局が前記移動局から受信するステップと、
前記基地局が前記送信抑止通知信号を受信した場合、前記移動局を示す移動局情報を、前記通信網を介して、前記記憶装置に記憶させるステップと、
前記通信網が前記移動局に対する着信を受け付けた場合、前記移動局を示す移動局情報が前記記憶装置に記憶されていれば、さらに、前記所定エリア外の基地局からも前記移動局へ着信通知信号を送信するステップとを含む
ことを特徴とする通信制御方法。
【請求項１０】
位置登録情報により示される基地局から無線により移動局へ着信通知信号を送信する通信網の通信制御を、コンピュータに実行させる通信制御プログラムであって、
前記通信網には、記憶装置が接続され、前記記憶装置は、送信を抑止している移動局を示す移動局情報を記憶しており、
移動局に対する着信を受け付けた場合、当該移動局についての前記移動局情報が前記記憶装置に記憶されていれば、さらに、前記位置登録情報により示されない基地局にも当該移動局へ着信通知信号を送信させるための指示を行うステップを前記コンピュータに実行させる
ことを特徴とする通信制御プログラム。
【請求項１１】
位置登録情報により示される基地局を含む所定エリア内にある基地局群から無線により移動局へ着信通知信号を送信する通信網の通信制御を、コンピュータに実行させる通信制御プログラムであって、
前記通信網には、記憶装置が接続されており、前記記憶装置は、送信を抑止している移動局を示す移動局情報を記憶しており、
移動局に対する着信を受け付けた場合、当該移動局についての前記移動局情報が前記記憶装置に記憶されていれば、前記移動局を示す移動局情報が前記記憶装置に記憶されていれば、さらに、前記所定エリア外の基地局にも当該移動局へ着信通知信号を送信させるための指示を行うステップを前記コンピュータに実行させる
ことを特徴とする通信制御プログラム。
【発明の詳細な説明】
【０００１】
【発明の属する技術分野】
本発明は、移動局、複数の基地局を含む通信網、移動無線通信システム、並びに、前記移動局、前記基地局及び前記通信網の制御方法に関し、特に、送信が抑止される動作モードを有する移動局、及び位置登録情報により示されない基地局からも前記移動局へ着信通知信号を送信する通信網、前記移動局と通信網とから構成される移動通信システム、及びそれらの制御方法に関する。
【０００２】
【従来の技術】
昨今、携帯電話機、携帯情報端末機等の普及がめざましい。従来のある種の携帯電話機、及び携帯情報端末機等（以降、移動局と総称する）は、例えば、交換局及び複数の基地局から構成される従来の通信網と、前記基地局の１つを介して無線により接続される。前記通信網は、他の通信網に属する電話機又はサーバーコンピュータ等と、前記交換局を介して接続されており、前記移動局は、前記通信網を経由して、他の通信網に属する電話機又はサーバーコンピュータ等と通信する。
【０００３】
前記移動局は、自己の所在を通信網に知らせるための信号を、無線により送信する。移動局から前記信号を受信した基地局は、前記移動局と自基地局とが交信可能であることを示す位置登録情報を、例えば交換局に備えられているデータベースに、前記通信網を介して登録する。前記位置登録情報は、移動局から最後に前記信号を受信した基地局によって逐次更新される。
【０００４】
前記交換局は、前記移動局に対する着信を受け付けた場合、前記位置登録情報を参照し、前記移動局と交信可能と判断される基地局へ、前記移動局への着信通知情報を送信する。前記着信通知情報を受信した基地局は、前記移動局への着信通知信号を無線により送信する。前記着信通知信号には、着信先移動局を識別する着信先電話番号と、発信元電話機を識別する発信元電話番号とが含まれている。なお、前記着信通知信号を発信するために用いられる複数種類の周波数帯が定められており、隣接する基地局は、相異なる周波数帯を用いて前記着信通知信号を発信している。
【０００５】
前記移動局は、前記基地局から送信される前記着信通知信号を間欠受信し、受信した着信通知信号に自局の電話番号が含まれる場合に、リンガーを鳴動させる等して、ユーザに着信を知らせる。移動に伴い、前記基地局から受信される着信通知信号のレベルが低下した場合には、前記複数種類の周波数帯の信号レベルを測定し、十分な受信レベルが観測された他の基地局から、引き続き、着信通知信号を間欠受信する。
【０００６】
この構成により、前記移動局が基地局のサービスエリアを出て移動した場合でも、前記移動局は、他の基地局からの着信通知信号を受信し、ユーザに着信を知らせることができる。
【０００７】
【発明が解決しようとする課題】
しかしながら、上述した従来技術の移動局は、前記信号を送信するため、混雑した電車内、及び病院内等で、ペースメーカー等の医療機器の動作に悪影響を与えるという問題があり、前記のような場所では、前記移動局の電源を切ることが求められている。電源を切った場合、医療機器への悪影響は解消されるが、当然に全く通信ができなくなり、着信があった記録すら残らないという不便が生じる。
【０００８】
上記の問題に鑑み、本発明は、医療機器に悪影響を与えず、かつ着信を記録し表示できる移動局を含む無線通信システム、及び前記移動局が移動した場合でも、前記移動局に着信を通知できる通信網、さらにそれらから構成される移動通信システム並びに通信制御プログラムの提供を目的とする。
【０００９】
【課題を解決するための手段】
（１）上記課題を解決するため、本発明の通信網は、複数の基地局を含み、位置登録情報により示される基地局から無線により移動局へ着信通知信号を送信する通信網であって、前記通信網には、記憶装置が接続されており、前記各基地局は、送信が抑止されたことを示す送信抑止通知信号を、前記移動局から受信する送信抑止通知受信手段と、前記送信抑止通知信号を受信した場合、前記移動局を示す移動局情報を、前記通信網を介して、前記記憶装置に記憶させる登録手段とを備え、前記通信網は、前記移動局に対する着信を受け付けた場合、前記移動局を示す移動局情報が前記記憶装置に記憶されていれば、さらに、前記位置登録情報により示されない基地局からも前記移動局へ着信通知信号を送信することを特徴とする。
（２）また、本発明の移動無線通信システムは、複数の基地局を含み、位置登録
情報により示される基地局から無線により移動局へ着信通知信号を送信する通信網と、前記移動局とから構成される移動無線通信システムであって、
前記移動局は、送信を抑止する指示をユーザから受け付ける送信抑止指示受付手段と、前記指示を受け付けた場合、送信抑止通知信号を基地局へ送信する設定通知送信手段と、前記指示を受け付けた場合、信号の送信を抑止する送信抑止手段と、前記指示を受け付けた場合、着信通知信号を受信して記録する着信通知処理手段とを備え、
前記通信網には、記憶装置が接続されており、前記各基地局は、前記送信抑止通知信号を、前記移動局から受信する送信抑止通知受信手段と、前記送信抑止通知信号を受信した場合、前記移動局を示す移動局情報を、前記通信網を介して、前記記憶装置に記憶させる登録手段とを備え、前記通信網は、前記移動局に対する着信を受け付けた場合、前記移動局を示す移動局情報が前記記憶装置に記憶されていれば、さらに、前記位置登録情報により示されない基地局からも前記移動局へ着信通知信号を送信することを特徴とする。
【００１０】
【発明の実施の形態】
本発明の実施の形態における、移動通信システムは、医療機器に悪影響を与えず、かつ着信を記録し表示する移動局、及び前記移動局が移動した場合でも前記移動局に着信を通知できる通信網から構成される移動通信システムである。
１．システム構成
図１は、本発明の移動通信システムの、全体構成の一例を示す機能ブロック図である。
【００１１】
移動通信システム１０は、移動局２０、及び通信網３０から構成される。通信網３０は、基地局４０、基地局５０、交換局６０、及び交換局６０に設けられた記憶装置７０から構成される。通信網３０は、交換局６０を介して、網外の電話機９０と接続されている。
２．移動局
移動局２０は、例えば時分割多重アクセス方式を用いて、無線により基地局４０又は基地局５０と通信する移動局であり、信号を受信するが送信しない特定の動作モードを有し、前記動作モードで作動することにより、医療機器への悪影響を解消する。
２．１  構成
図２は、移動局２０の構成の一例を示すプロック図である。同図中、移動局２０は、アンテナ１１０、切り替えスイッチ１２０、無線部１３０、モデム部１４０、ＴＤＭＡ処理部１５０、音声処理部１６０、マイクロフォン１７１、スピーカ１７２、制御部１８０、操作部１９１、表示部１９２、及び着信通報部１９３から構成される。
【００１２】
アンテナ１１０は、切り替えスイッチ１２０を介して、無線部１３０に含まれる送信部１３１及び受信部１３２と接続される。送信部１３１は、モデム部１４０から入力された信号を増幅してアンテナ１１０から送信し、また受信部１３２は、アンテナ１１０に受信された信号を増幅してモデム部１４０へ出力する。
モデム部１４０は、ＴＤＭＡ（Ｔｉｍｅ  Ｄｉｖｉｓｉｏｎ  Ｍｕｌｔｉｐｌｅ  Ａｃｃｅｓｓ）処理部１５０から入力されたデジタルベースバンド信号を、π／４シフトＱＰＳＫ（Ｑｕａｄｒａｔｕｒｅ  Ｐｈａｓｅ  Ｓｈｉｆｔ  Ｋｅｙｉｎｇ）により変調して無線部１３０へ出力し、また、無線部１３０から入力された信号を、同様に復調してＴＤＭＡ処理部１５０へ出力する。
【００１３】
ＴＤＭＡ処理部１５０は、時分割多重化されたタイムスロット中、自局に割り当てられた送信タイムスロット及び受信タイムスロットにおいて信号の送信及び受信が行われるよう、送信及び受信タイミングを制御する。
音声処理部１６０は、ＴＤＭＡ処理部１５０に対して入出力されるデジタル音声信号と、マイク４６及びスピーカ４５を介して入出力されるアナログ音声信号とを、相互に変換し、増幅する。
【００１４】
操作部１９１は、数字キー、オフフックキーおよびオンフックキーなどを備え、ユーザからダイヤル操作、オフフック操作等の他、本発明における特定の動作モードの設定及び解除指示を受け付け、受け付けられた操作及び指示を制御部１８０に通知する。
表示部１９２は、液晶表示パネル等で実現され、制御部１８０から与えられた、時刻や電波状況等の情報を表示する。また、自局宛ての着信通知情報が受信された場合に、制御部１８０により記録された、着信時刻、発信元電話番号等の情報を含む着信情報を表示する。
【００１５】
着信通報部１９３は、ブザー、振動モーター等を用いて実現され、自局宛ての着信通知情報が受信された場合に、制御部１８０から起動され、音声、振動等によりユーザに着信を通報する。
制御部１８０は、ＣＰＵ（Ｃｅｎｔｒａｌ  Ｐｒｏｃｅｓｓｉｎｇ  Ｕｎｉｔ）１８１、ＲＯＭ（Ｒｅａｄ  Ｏｎｌｙ  Ｍｅｍｏｒｙ）１８２、及びＲＡＭ（Ｒａｎｄｏｍ  Ａｃｃｅｓｓ  Ｍｅｍｏｒｙ）１８３等を用いて実現され、ＲＯＭ１８２内に記憶されているプログラムを実行することによって移動局２０の全体を制御する。制御部１８０は、自局宛ての着信通知情報が受信された場合に、ＲＡＭ１８３に、前記着信情報を記録する。また、ＲＡＭ１８３の一部は、移動局２０の動作モードを記憶しているモードレジスタ１８４として機能する。
【００１６】
制御部１８０は、操作部１９１から、前記特定の動作モードの設定指示を受け取った場合、設定通知信号を基地局へ送信することにより、移動局２０が前記動作モードで作動を開始したことを通信網に通知し、その後、モードレジスタ１８４を”１”に更新する。また、前記動作モードの解除指示を受け取った場合、モードレジスタ１８４を”０”に更新し、その後解除通知信号を基地局へ送信することにより、移動局２０が通常の動作モードで作動を開始したことを通信網に知らせる。
【００１７】
ここで、前記設定通知信号、及び前記解除通知信号は、本発明の移動局と基地局との間で新たに取り決められた信号であり、例えば、従来の移動無線通信システムにおいて将来の拡張用に予約されている信号を用いて実現される。前記信号内容は、制御部１８０におけるＲＯＭ１８２に予め記憶されていて、移動局から送信されるものとする。
【００１８】
制御部１８０は、モードレジスタ１８４が”１”である間、送信部１３１、モデム部１４０、及びＴＤＭＡ処理部１５０に対し信号の送信に関する処理を行わないよう制御し、信号の送信を抑止する。
２．２  特定モード設定／解除処理
図５は、移動局における、特定モード設定／解除処理を示すフローチャートである。以下、各ステップの動作を逐次説明する。
（ステップＳ１０１）操作部１９１は、ユーザから前記動作モードの設定指示又は解除指示を受け付ける。
（ステップＳ１０２）設定指示を受け付けた場合、ステップＳ１１１以降を実行し、解除指示を受け付けた場合、ステップＳ１２１以降を実行する。
（ステップＳ１１１）制御部１８０は、前記設定通知信号をＴＤＭＡ処理部１５０へ出力し、モデム部１４０、及び送信部１３１は、前記設定通知信号を基地局へ送信する。
（ステップＳ１１２）制御部１８０は、モードレジスタ１８４を”１”に更新する。
（ステップＳ１１３）制御部１８０は、送信部１３１、モデム部１４０、及びＴＤＭＡ処理部１５０に対し信号の送信に関する処理を行わないよう制御する。
（ステップＳ１２１）制御部１８０は、モードレジスタ１８４を”０”に更新する。
（ステップＳ１２２）制御部１８０は、送信部１３１、モデム部１４０、及びＴＤＭＡ処理部１５０に対し信号の送信に関する処理を行うよう制御する。
（ステップＳ１２３）制御部１８０は、前記解除通知信号をＴＤＭＡ処理部１５０へ出力し、モデム部１４０、及び送信部１３１は、前記解除通知信号を基地局へ送信する。
２．３  着信処理
図６は、移動局における、着信処理を示すフローチャートである。以下、各ステップの動作を逐次説明する。
（ステップＳ１５１）移動局２０は、自局の電話番号を着信先番号として含む着信通知信号を基地局から受信する。
（ステップＳ１５２）制御部１８０は、前記着信通知信号に含まれる発信元電話番号、及び受信時刻を含む着信情報をＲＡＭに記録する。
（ステップＳ１５３）制御部１８０は、モードレジスタ１８４を参照し、”１”の場合、ステップＳ１６１以降を実行し、”０”の場合、ステップＳ１７１以降を実行する。
（ステップＳ１６１）制御部１８０は、着信通報部１９３を作動させ、音声又は振動等により、ユーザに着信を知らせる。
（ステップＳ１６２）表示部１９２は、前記発信元電話番号を表示する。
（ステップＳ１６３）前記着信通知信号中に操作部１９１がユーザからオフフック操作を受け付けた場合、ステップＳ１６４を実行し、受け付けなかった場合、ステップＳ１７１を実行する。
（ステップＳ１６４）移動局２０は、基地局へ応答信号を送信し、通信を開始する。
（ステップＳ１７１）表示部１９２は、前記記録された着信情報を表示する。
【００１９】
以上説明した構成により、移動局２０は、前記特定の動作モードが設定されている間、信号を受信するが送信しないので、医療機器への悪影響を解消する。また、その間に基地局から着信通知信号を受信した場合は、送信が抑止されているために応答できないので、着信通報部１９３を作動させず、着信記録の表示のみを行う。
３．基地局
基地局４０及び基地局５０は、例えば時分割多重アクセス方式を用いて、無線により移動局２０と通信する基地局であり、前述した設定通知信号を移動局２０から受信した場合、前記移動局を示す移動局情報を、記憶装置７０に登録し、また、前述した解除通知信号を移動局２０から受信した場合、前記移動局情報を記憶装置７０から削除する。
【００２０】
図３は、基地局４０の構成の一例を示すプロック図である。同図中、基地局４０は、通信情報交信部２１１及び移動局情報アクセス部２１２を含む網接続部２１０、ＴＤＭＡ処理部２２０、モデム部２３０、送信部２４１及び受信部２４２を含む無線部２４０、切り替えスイッチ２５０、アンテナ２６０、及び制御部２７０から構成される。基地局４０は、網接続部２１０を介して、交換局６０と通信する。基地局５０は基地局４０と同一の構成を有する。
【００２１】
網接続部２１０において、通信情報交信部２１１は、複数の移動局へ向けた送信情報を交換局６０から受信してＴＤＭＡ処理部２２０へ出力し、また前記各移動局からの受信情報をＴＤＭＡ処理部２２０から受け取り交換局６０へ送信する。移動局情報アクセス部２１２は、制御部２７０からの指示に従って、交換局６０に設けられている記憶装置７０に、移動局情報を登録し、又は削除する。
【００２２】
ＴＤＭＡ処理部２２０は、通信情報交信部２１１から受け取った前記各移動局へ向けた送信情報が、前記各移動局にそれぞれ割り当てられた送信タイムスロットにおいて時分割多重されたデジタルベースバンド信号を生成して、モデム部２３０へ出力する。
また、モデム部２３０から受け取った時分割多重されたデジタルベースバンド信号から、前記各移動局にそれぞれ割り当てられた受信タイムスロットに含まれる信号を抽出して前記移動局毎の受信情報を分離し、通信情報交信部２１１へ出力する。
【００２３】
モデム部２３０は、ＴＤＭＡ（Ｔｉｍｅ  Ｄｉｖｉｓｉｏｎ  Ｍｕｌｔｉｐｌｅ  Ａｃｃｅｓｓ）処理部２２０から入力されたデジタルベースバンド信号を、π／４シフトＱＰＳＫ（Ｑｕａｄｒａｔｕｒｅ  Ｐｈａｓｅ  Ｓｈｉｆｔ  Ｋｅｙｉｎｇ）により変調して無線部２４０へ出力し、また、無線部２４０から入力された信号を、同様に復調してＴＤＭＡ処理部２２０へ出力する。
【００２４】
無線部２４０に含まれる送信部２４１及び受信部２４２は、切り替えスイッチ２５０を介してアンテナ２６０と接続される。送信部２４１は、モデム部２３０から入力された信号を増幅してアンテナ２６０から送信し、また受信部２４２は、アンテナ２６０に受信された信号を増幅してモデム部２３０へ出力する。
制御部２７０は、ＣＰＵ２７１、ＲＯＭ２７２、及びＲＡＭ２７３等を用いて実現され、ＲＯＭ２７２内に記憶されているプログラムを実行することによって基地局４０の全体を制御する。
【００２５】
ＲＯＭ２７２は、前述した設定通知信号及び解除通知信号を予め記憶しており、制御部２７０は、移動局から信号が受信された場合、ＲＯＭ２７２に記憶されている設定通知信号及び解除通知信号と、受信された信号とを比較して、前記信号が受信されたか否かを判断する。
移動局から前記設定通知信号が受信されたと判断された場合、移動局情報アクセス部２１２は、前記移動局の電話番号と受信時刻とを含む移動局情報登録命令を交換局６０に向けて発信し、前記移動局の電話番号と前記受信時刻とからなる移動局情報を記憶装置７０に登録する。
【００２６】
移動局から前記解除通知信号が受信されたと判断された場合、移動局情報アクセス部２１２は、前記移動局の電話番号を含む移動局情報削除命令を交換局６０に向けて発信し、前記電話番号を含む移動局情報を記憶装置７０から削除する。
４．移動局情報
図４は、交換局６０に接続されている記憶装置７０において、移動局情報テーブル３００に保持されている移動局情報の一例である。
【００２７】
移動局情報テーブル３００の各行は、基地局から送信された移動局情報登録命令に従って登録される。移動局番号欄３１０には前記命令に含まれる移動局の電話番号が記録され、登録時刻欄３２０には前記命令に含まれる時刻が記録される。また、基地局から送信された移動局情報削除命令に従って、前記命令に含まれる移動局の電話番号と一致する移動局番号を有する行が削除される。
【００２８】
ここで、移動局情報テーブル３００の各行は、登録された基地局によって削除されるとは限らない。移動局からの設定通知信号を受信した基地局によって登録された後、前記移動局の移動に伴って、前記移動局からの設定解除信号が他の基地局によって受信された場合は、前記他の基地局から削除される。また、移動局情報テーブル３００の各行は、移動局に対する着信を受け付けた交換局によって参照される。
【００２９】
前記移動局情報は、複数の基地局によって更新され、かつ交換局によって参照される点において、従来の通信網における位置登録情報と同様であり、前記移動局情報を記憶している記憶装置７０は、例えば、従来の位置登録情報を保持するために用いられているデータベースを兼用して実現できる。又は、前記データベースを実現している技術を用いて、別個に実装することができる。
５．交換局
交換局６０は、移動局に対する着信を受け付けた場合、従来用いられている位置登録情報（図示省略）を参照して、前記位置登録情報により前記移動局と交信可能と示された基地局を認識する。さらに、前記移動局の電話番号を移動局番号欄に保持している行を、移動局情報テーブル３００から検索する。
【００３０】
交換局６０は、前記行が見つからない場合、従来行われている方法に従って、着信先電話番号、発信元電話番号等を含む着信通知情報を、前記位置登録情報により示された基地局へ送信し、前記行が見つかった場合は、前記着信通知情報を、さらに、前記位置登録情報により示されない基地局へも送信する。
若しくは、交換局６０は、前記行が見つからない場合、従来行われている他の方法に従って、前記着信通知情報を、前記位置登録情報により示された基地局を含む所定エリア内にある基地局群へ送信し、前記行が見つかった場合は、前記着信通知情報を、さらに、前記位置登録情報により示されないエリアにある基地局へも送信する。
【００３１】
前記着信通知情報を受け取った各基地局は、前記着信通知情報に含まれる着信先電話番号、及び発信元電話番号を含んだ着信通知信号を送信し、前記着信通知信号を受信した移動局は、前記着信先電話番号が自己の電話番号と一致する場合、特定の動作モードが設定されていれば発信元電話番号を含む着信記録を表示し、設定されていなければ着信を報知する。
【００３２】
この構成によれば、交換局６０は、本発明の特定の動作モードが設定されているために位置登録情報が更新されていない移動局に対し、最後に位置登録された基地局を含む複数の基地局から着信通知信号を送信するため、前記移動局は、最後に位置登録された基地局のサービスエリアを出て移動した場合でも、前記着信通知信号を受信し、発信元電話番号を含む着信記録を表示することができる。
【００３３】
なお、交換局６０は、前記移動局を示す行がある場合、前記位置登録情報により示された基地局からの距離が、前記行に含まれている受信時刻からの経過時間に応じた制限距離を超えない地点にある全ての基地局へ、前記着信通知情報を送信するとしてもよい。
５．システムの動作
図７は、移動通信システム１０における移動局２０、基地局４０、基地局５０、及び交換局６０の動作、及びそれらの間で交信される情報の連動関係を示したタイミングチャートである。
【００３４】
個々の構成要素に関して前述した説明と重複する事項は省略し、以下、主に各構成要素の連動関係について説明する。
（ステップＳ５１１）位置登録情報は、移動局２０と基地局５０とが交信可能であると示している。
（ステップＳ５２１）移動局２０は、ユーザから特定の動作モードの設定指示を受け付ける。
（ステップＳ５２２）移動局２０は、設定通知信号を基地局５０へ送信する。
（ステップＳ５２３）基地局５０は、移動局２０の電話番号及び設定通知信号受信時刻を含む移動局情報登録命令を、交換局６０に送信する。
（ステップＳ５２４）移動局２０は、モードレジスタを”１”に更新し、信号の送信を抑止する。
（ステップＳ５２５）交換局６０は、受信した移動局情報登録命令に含まれる移動局２０の電話番号及び設定通知信号受信時刻を含む移動局情報を、記憶装置７０に登録する。
（ステップＳ５３１）移動局２０は、基地局５０のサービスエリアから基地局４０のサービスエリアへ移動する。このとき、移動局２０は位置登録信号を送信しないので、位置登録情報は更新されない。
（ステップＳ５３２）交換局６０は、移動局２０への着信を受け付ける。
（ステップＳ５３３）前記位置登録情報は更新されておらず、引き続き移動局２０と基地局５０とが交信可能であると示しているので、交換局６０は、移動局２０に対する着信通知情報を、基地局５０へ送信する。前記着信通知情報には、発信元電話番号が含まれている。
（ステップＳ５３４）交換局６０は、さらに記憶装置７０を参照して、移動局２０の電話番号を含む移動局情報が登録されていることを認識し、前記着信通知情報を、基地局４０へも送信する。
（ステップＳ５３５）基地局５０は、移動局２０に宛てた着信通知信号を送信する。前記着信通知信号には、発信元電話番号が含まれている。移動局２０は基地局４０のサービスエリアへ移動しているので、基地局５０から送信された前記着信通知信号は移動局２０へ到達しない。
（ステップＳ５３６）基地局４０は、前述と同一の着信通知信号を送信する。この着信通知信号が、移動局２０へ到達する。
（ステップＳ５３７）移動局２０は、前記着信通知信号を受信し、前記着信通知信号に含まれる発信元電話番号、及び着信通知信号受信時刻を含む着信情報を記録する。
（ステップＳ５３８）移動局２０は、記録された着信情報を表示する。
（ステップＳ５４１）移動局２０は、ユーザから特定の動作モードの解除指示を受け付ける。
（ステップＳ５４２）移動局２０は、モードレジスタを”０”に更新し、信号の送信を再開する。
（ステップＳ５４３）移動局２０は、解除通知信号を基地局４０へ送信する。
（ステップＳ５４５）基地局４０は、移動局２０の電話番号を含む移動局情報削除命令を、交換局６０に送信する。
（ステップＳ５４６）交換局６０は、受信した移動局情報削除命令に含まれる移動局２０の電話番号を含む移動局情報を、記憶装置７０から削除する。
６．まとめ
以上説明したように、本発明の移動無線通信システムは、（１）信号を受信するが送信しない特定の動作モードを有する移動局、及び（２）交換局及び複数の基地局を含み、位置登録情報により示された基地局を含む１つ以上の基地局から前記移動局を呼び出す通信網から構成される。
【００３５】
この構成によれば、前記移動局は、ユーザからの指示に応じて、前記特定の動作モードで作動することにより、医療機器への悪影響を解消し、かつ着信情報を記録し表示でき、また、前記通信網は、前記移動局が、位置登録信号を発信することなく他の基地局のサービスエリアへ移動した場合であっても、前記移動局へ着信を通知できる。
（その他の変形例）
なお、本発明を上記の実施の形態に基づいて説明してきたが、本発明は、上記の実施の形態に限定されないのはもちろんである。以下のような場合も本発明に含まれる。
（１）本発明は、実施の形態で説明したステップを含む方法であるとしてもよい。また、これらの方法を、マイクロプロセッサを用いて実現するためのコンピュータプログラムであるとしてもよいし、前記プログラムを表すデジタル信号であるとしてもよい。
【００３６】
また、本発明は、前記プログラム又は前記デジタル信号を記録した、半導体メモリ等のコンピュータ読取り可能な記録媒体であるとしてもよい。
また、本発明は、電気通信回線、無線又は有線通信回線、若しくはインターネットに代表されるネットワーク等を経由して伝送される前記コンピュータプログラム又は前記デジタル信号であるとしてもよい。
【００３７】
また、本発明は、マイクロプロセッサ及びメモリを備えた移動局、基地局、及び交換局であり、前記メモリは前記プログラムを記憶しており、前記マイクロプロセッサは前記メモリに記憶されている前記プログラムに従って動作することにより、前記方法を実現するとしてもよい。
また、前記プログラム又は前記デジタル信号は、前記記録媒体に記録されて移送され、若しくは、前記ネットワーク等を経由して移送され、独立した他の移動局、基地局、及び交換局において実施されるとしてもよい。
（２）移動局は、前記特定の動作モードが設定されている間に着信通知信号を受信した場合、特定モードが設定されておらず応答できる場合と区別できる態様によって、リンガーを鳴動させ、又は振動モーターを回転させてもよい。
【００３８】
この構成によれば、ユーザは、着信があった際、前記モードが設定されているために応答できない場合と、通常に応答できる場合とを容易に区別できるため、前記移動局の操作性が向上する。
（３）交換局は、移動局に対する着信を受け付けた場合、移動局情報テーブル３００に前記移動局を示す移動局番号を含む行が登録されていれば、前記移動局が応答しないことが予め分かるので、従来の応答がない場合と異なるメッセージを、発信元へ返却してもよい。
【００３９】
この構成によれば、交換局は、前記移動局に対し発信したユーザに対し、前記特定の動作モードが設定されているために前記移動局が応答しないことを説明できるので、前記ユーザは前記移動局が応答しない理由を詳細に知ることができ、前記交換局を含む移動無線通信システムの操作性が向上する。
（４）本実施の形態では、移動局と基地局とが、一例として、時分割多重アクセス方式を用いて無線により通信するとしたが、使用する多重方式の種類が本発明の主要部分でないことは言うまでもなく、他の例として、移動局と基地局とがＣＤＭＡ（Ｃｏｄｅ  Ｄｉｖｉｓｉｏｎ  Ｍｕｌｔｉｐｌｅ  Ａｃｃｅｓｓ：符号分割多重アクセス）方式を用いて無線により通信する場合も本発明に含まれる。
（５）本実施の形態では、通信網は、交換局及び複数の基地局から構成されるとしたが、交換局は必ずしも１つである必要はなく、例えば、前記通信網が、複数の外部通信網と接続される場合、外部通信網毎に複数の交換局が設置され、各交換局を介して各外部通信網と接続されてもよい。このような構成は、従来の通信網において既に広く実施されているものであるから、詳細な説明を省略する。また、データベースも、必ずしも１箇所に設置される必要はなく、個々の交換局に分散配置された分散データベースとして実現されてもよい。これらの何れの場合も、本発明に含まれる。
【００４０】
また、本発明の実施の形態における交換局及び基地局は、通信網における異なる機能要素を言い表したものであって、それぞれの機能が異なった地点、建物、又は装置に実装されることを主張していない。前記基地局のうち何れか１つの機能と前記交換局の機能とが、例えば単一の装置によって実現されている場合も、本発明に含まれる。
【００４３】
【発明の効果】
（１）本発明の通信網は、複数の基地局を含み、位置登録情報により示される基地局から無線により移動局へ着信通知信号を送信する通信網であって
、前記通信網には、記憶装置が接続されており、前記各基地局は、送信が抑止されたことを示す送信抑止通知信号を、前記移動局から受信する送信抑止通知受信手段と、前記送信抑止通知信号を受信した場合、前記移動局を示す移動局情報を、前記通信網を介して、前記記憶装置に記憶させる登録手段と、を備え、前記通信網は、前記移動局に対する着信を受け付けた場合、前記移動局を示す移動局情報が前記記憶装置に記憶されていれば、さらに、前記位置登録情報により示されない基地局からも前記移動局へ着信通知信号を送信することを特徴とする。
【００４４】
この構成によれば、前記通信網は、前記移動局が、位置登録信号を発信することなく他の基地局のサービスエリアへ移動した場合であっても、前記移動局を含む１つ以上の基地局から前記移動局を呼び出すことにより、前記移動局へ着信を通知できる。
（２）前記（１）の通信網において、前記各基地局は、前記送信抑止通知信号を受信した受信時刻を、前記移動局情報に対応させて前記記憶装置に記憶させ、前記通信網は、前記移動局に対する着信を受け付けた場合、前記移動局を示す移動局情報が前記記憶装置に記憶されていれば、前記位置登録情報により示された基地局からの距離が、前記移動局情報に対応する受信時刻からの経過時間に応じた制限距離を超えない地点にある基地局から、前記移動局へ着信通知信号を送信するとしてもよい。
【００４５】
この構成によれば、前記通信網は、前記（１）と同様の効果を有する。
（３）前記（１）又は（２）の通信網において、前記各基地局は、送信の抑止が解除されたことを示す抑止解除通知信号を、前記移動局から受信する抑止解除通知受信手段と、前記抑止解除通知信号を受信した場合、前記移動局を示す移動局情報を、前記通信網を介して、前記記憶装置から削除する削除手段とを備えてもよい。
【００４６】
この構成によれば、前記通信網は、前記（１）と同様の効果を有する。
（４）本発明の移動無線通信システムは、複数の基地局を含み、位置登録情報により示される１つ以上の基地局から無線により移動局へ着信通知信号を送信する通信網と、前記移動局とから構成される移動無線通信システムであって、前記移動局は、
送信を抑止する指示をユーザから受け付ける送信抑止指示受付手段と、前記指示を受け付けた場合、送信抑止通知信号を基地局へ送信する設定通知送信手段と、前記指示を受け付けた場合、信号の送信を抑止する送信抑止手段と、前記指示を受け付けた場合、着信通知信号を受信して記録する着信通知処理手段とを備え、前記通信網には、記憶装置が接続されており、前記各基地局は、前記送信抑止通知信号を、前記移動局から受信する送信抑止通知受信手段と、前記送信抑止通知信号を受信した場合、前記移動局を示す移動局情報を、前記通信網を介して、前記記憶装置に記憶させる登録手段とを備え、前記通信網は、前記移動局に対する着信を受け付けた場合、前記移動局を示す移動局情報が前記記憶装置に記憶されていれば、さらに、前記位置登録情報により示されない基地局からも前記移動局へ着信通知信号を送信することを特徴とする。
【００４７】
この構成によれば、前記移動無線通信システムは、前記（１）の効果を有する。
（５）本発明の通信制御方法は、基地局と無線により接続される移動局において用いられる通信制御方法であって、送信を抑止する指示をユーザから受け付ける送信抑止指示受付ステップと、前記指示を受け付けた場合、信号の送信を抑止する送信抑止ステップと、前記指示を受け付けた場合、着信通知信号を受信して記  録する着信通知処理ステップと、前記指示を受け付けた場合に受信した着信通知信号を、前記指示を受け付けていない場合に受信した着信通知信号と区別できる態様にて通報する着信通報ステップとを含むことを特徴とする。
【００４８】
この構成によれば、前記通信制御方法は、前記（１）と同様の効果を有する。
【００４９】
（６）本発明の通信制御方法は、複数の基地局を含み、位置登録情報により示される基地局から無線により移動局へ着信通知信号を送信する通信網において用いられる通信制御方法であって、前記通信網には、記憶装置が接続されており、前記移動局に対する着信を受け付けた場合、前記移動局を示す移動局情報が前記記憶装置に記憶されていれば、さらに、前記位置登録情報により示され
ない基地局からも前記移動局へ着信通知信号を送信することを特徴とする。
【００５０】
この構成によれば、前記通信制御方法は、前記（１）と同様の効果を有する。
（７）本発明のプログラムは、基地局と無線により接続される移動局を、コンピュータを用いて制御するためのコンピュータ実行可能なプログラムであって、送信を抑止する指示をユーザから受け付ける送信抑止指示受付ステップと、前記指示を受け付けた場合、信号の送信を抑止する送信抑止ステップと、前記指示を受け付けた場合、着信通知信号を受信して記録する着信通知処理ステップと、前記指示を受け付けた場合に受信した着信通知信号を、前記指示を受け付けていない場合に受信した着信通知信号と区別できる態様にて通報する着信通報ステップとをコ
ンピュータに実行させることを特徴とする。
【００５１】
この構成によれば、前記プログラムは、前記（１）と同様の効果を有する。
【図面の簡単な説明】
【図１】本実施の形態における移動無線通信システムの全体構成を示す機能ブロック図である。
【図２】移動局の構成の一例を示す機能ブロック図である。
【図３】基地局を含む通信網の構成の一例を示す機能ブロック図である。
【図４】移動局情報の一例である。
【図５】移動局における特定モード設定／解除処理を示したフローチャートである。
【図６】移動局における着信処理を示したフローチャートである。
【図７】移動無線通信システムにおける各構成要素の連動関係を示したタイミングチャートである。
【符号の説明】
１０    移動通信システム
２０    移動局
３０    通信網
４０    基地局
４５    スピーカ
４６    マイク
５０    基地局
６０    交換局
７０    記憶装置
９０    電話機
１１０    アンテナ
１２０    スイッチ
１３０    無線部
１３１    送信部
１３２    受信部
１４０    モデム部
１５０    ＴＤＭＡ処理部
１６０    音声処理部
１７１    マイクロフォン
１７２    スピーカ
１８０    制御部
１８２    ＲＯＭ
１８３    ＲＡＭ
１８４    モードレジスタ
１９１    操作部
１９２    表示部
１９３    着信通報部
２１０    網接続部
２１１    通信情報交信部
２１２    移動局情報アクセス部
２２０    ＴＤＭＡ処理部
２３０    モデム部
２４０    無線部
２４１    送信部
２４２    受信部
２５０    スイッチ
２６０    アンテナ
２７０    制御部
２７１    ＣＰＵ
２７２    ＲＯＭ
２７３    ＲＡＭ
３００    移動局情報テーブル
３１０    移動局番号欄
３２０    登録時刻欄
【図１】
0003976524.tif 000002
【図２】
0003976524.tif 000003
【図３】
0003976524.tif 000004
【図４】
0003976524.tif 000005
【図５】
0003976524.tif 000006
【図６】
0003976524.tif 000007
【図７】
0003976524.tif 000008